(57)【要約】【課題】本体内部の冷却性能を保ちつつ、清掃性に優れれること。【解決手段】キッチンキャビネット１１の天板開口部１２から落とし込み、キャビネット前面開口部１４に調理器前面の操作部５を臨ませて設置する加熱調理器において、前面開口部１４と操作部５の隙間を覆い、着脱自在の吸気フィルタ３１を備え、吸気フィルタ３１を経由して本体１に冷却風を吸気することで、本体１の吸気口６に塵埃が付着し冷却性能が低下することを防ぎ、かつ清掃性に優れたものとなる。【選択図】図１
2010203690.tif 000002
【特許請求の範囲】
【請求項１】
キッチンキャビネットの天板開口部から落とし込み、キャビネット前面開口部に前面部を臨ませて設置する加熱調理器本体と、前記本体前面に配置された操作部と、前記操作部近傍に配置され外気を本体内に取り入れる吸気口と、前記吸気口から取り入れた空気を送風する冷却手段とを備え、前記吸気口の外方にキャビネット前面開口部と前記操作部との隙間を覆いかつ、複数の小孔を配設した着脱自在の吸気フィルタを取り付けた組み込み式加熱調理器。
【請求項２】
本体は、吸気フィルタの外側に着脱自在の飾り枠を装着した請求項１に記載の組み込み式加熱調理器。
【請求項３】
本体は、吸気フィルタの接触部に少なくとも１箇所の指が入る程度の凹部を備え、前記凹部は飾り枠に覆われ外部に露出しない構成とした請求項２に記載の組み込み式加熱調理器。
【請求項４】
吸気フィルタは外方へ向かって凸のつまみ部を備え、前記つまみ部は飾り枠に覆われ外部に露出しない構成とした請求項２に記載の組み込み式加熱調理器。
【請求項５】
吸気フィルタは本体との接触部の間に少なくとも１箇所の指が入る程度の凹部を備えた請求項１〜４のいずれか１項に記載の組み込み式加熱調理器。
【請求項６】
本体は、キャビネット前面開口部と本体との隙間を部分的に覆うように仕切板を装着し、前記仕切板の覆わない前記隙間を覆うように吸気フィルタを取り付けた請求項１〜５のいずれか１項に記載の組み込み式加熱調理器。
【請求項７】
吸気フィルタはキャビネット前面開口部と本体の隙間を部分的に覆い、前記吸気フィルタの覆わない前記隙間を覆うように飾り枠を配した請求項２〜６のいずれか１項に記載の組み込み式加熱調理器。
【発明の詳細な説明】
【技術分野】
【０００１】
本発明は一般家庭で使用する組み込み式加熱調理器に関するものである。
【背景技術】
【０００２】
従来、調理器本体をキッチンキャビネットの天板開口部から挿入し、キャビネットの前面開口部に調理器本体の前面をのぞませるように設置した組み込み式調理器は知られている。また、この種の組み込み式調理器では部品の冷却のために本体内部へ送風を行っているが、天板での調理物から発生する油煙を吸い込むことで内部部品が劣化することを避けるために、キャビネット前面開口部からのぞめる調理器本体前面に吸気口を配置し、そこから本体内部へ送風し部品の冷却をしている例もある（例えば、特許文献１参照）。
【０００３】
図９は、特許文献１に記載された従来の組み込み式加熱調理器を示すものである。
【０００４】
図９に示すように、鍋やフライパンなどの被加熱物を戴置するトッププレート１０２を有した本体１０１と、この本体１０１内でトッププレート１０２下部に配置された誘導加熱コイルなどの加熱手段１０３と、加熱手段１０３を制御する制御回路１０４と、本体１０１の前面に配置された操作部１０５と、外気を本体１０１内に吸い込む吸気口１０６と、吸気口１０６より吸い込んだ空気を本体１０１内に送風する冷却手段１０７と、冷却手段１０７により送風した空気を本体１０１内から排出する排気口１０８とを備えている。
【特許文献１】特開２００６−２１０１４６号公報
【発明の開示】
【発明が解決しようとする課題】
【０００５】
しかしながら、前記従来の構成では、本体前面吸気口１０６から吸気する際、後方の排気口１０８近くから吸気する場合より油煙や水分の吸い込みは少なくなるが、前で作業をする使用者の衣服やキッチン室内からの塵埃は吸引するので、長期にわたる使用の中で吸気口に塵埃がつまり、本体内部の冷却性能が低下し部品の劣化を招く恐れがあるという課題を有していた。
【０００６】
また、使用者の手の届かない本体の底面や側面に吸気口を配した場合、塵埃の付着があっても、清掃することが困難になるという課題も有していた。
【０００７】
本発明は、前記従来の課題を解決するもので、本体前面吸気口に塵埃が付着し冷却性能が低下することを防ぎ、かつ清掃性に優れた組み込み式加熱調理器を提供することを目的とする。
【課題を解決するための手段】
【０００８】
前記従来の課題を解決するために、本発明の組み込み式加熱調理器は、吸気口の外方にキャビネット前面開口部と前記操作部との隙間を覆いかつ、複数の小孔を配設した着脱自在の吸気フィルタを取り付けた組み込み式加熱調理器としたものである。
【０００９】
これによって、吸気口から空気を取り入れる際、冷却風は吸気フィルタを通過した後に吸気口に到達することとなり、塵埃は着脱自在の吸気フィルタに付着するため容易に清掃ができ、冷却性能を保つことができる。
【００１０】
また、本発明の組み込み式加熱調理器は、吸気フィルタの外側に着脱自在の飾り枠を装着したものである。
【００１１】
これによって、外観の体裁を保つことができ、デザイン性に優れた組み込み式加熱調理器を提供できる。
【発明の効果】
【００１２】
本発明の組み込み式加熱調理器は、本体前面吸気口に塵埃が付着し冷却性能が低下することを防ぎ、かつ清掃性に優れたものとすることができる。
【発明を実施するための最良の形態】
【００１３】
第１の発明はキッチンキャビネットの天板開口部から落とし込み、キャビネット前面開口部に前面部を臨ませて設置する加熱調理器本体と、前記本体前面に配置された操作部と、前記操作部近傍に配置され外気を本体内に取り入れる吸気口と、前記吸気口から取り入れた空気を送風する冷却手段とを備え、前記吸気口の外方にキャビネット前面開口部と前記操作部との隙間を覆いかつ、複数の小孔を配設した着脱自在の吸気フィルタを取り付けたとすることにより、吸気口から空気を取り入れる際、冷却風は吸気フィルタを通過した後に吸気口に到達することとなり、塵埃は着脱自在の吸気フィルタに付着するため容易に清掃ができ、冷却性能を保つことができる。
【００１４】
第２の発明は、特に、第１の発明において、本体は、吸気フィルタの外側に着脱自在の飾り枠を装着したとすることにより外観の体裁を保つことができ、デザイン性を向上できる。
【００１５】
第３の発明は、特に、第２の発明において、本体は、吸気フィルタの接触部に少なくとも１箇所の指が入る程度の凹部を備え、前記凹部は飾り枠に覆われ外部に露出しない構成とすることにより、清掃時に飾り枠を取り外すと、フィルタを指で容易に取り外すための凹部が露出するため容易に吸気フィルタを取り外して清掃することができ、使用時には凹部が隠れるため外観の体裁を保ちデザイン性に優れたものを提供できるとともに、清掃性も向上できる。
【００１６】
第４の発明は、特に、第２の発明において、吸気フィルタは外方へ向かって凸のつまみ部を備え、前記つまみ部は飾り枠に覆われ外部に露出しない構成とすることにより、清掃時に飾り枠を取り外すと、フィルタを指で容易に取り外すためのつまみ部が露出するため容易に吸気フィルタを取り外して清掃することができ、使用時にはつまみ部が隠れるため外観の体裁を保ちデザイン性に優れたものを提供できるとともに、清掃性も向上できる。
【００１７】
第５の発明は、特に、第１〜４のいずれか１つの発明において、吸気フィルタは本体との接触部の間に少なくとも１箇所の指が入る程度の凹部を備えたとすることにより、フィルタを指で容易に取り外して清掃することができ、清掃性も向上できる。
【００１８】
第６の発明は、特に、第１〜５のいずれか１つの発明において、本体は、吸気フィルタの内側にキャビネット前面開口部と本体の隙間を部分的に覆うように仕切板を装着し、前記仕切板の覆わない前記隙間を覆うように吸気フィルタを取り付けたとすることで、吸気フィルタの面積を小さくすることができ、清掃の際に取り扱いが容易になるため、清掃性も向上できる。
【００１９】
第７の発明は、特に、第２〜６のいずれか１つの発明において、吸気フィルタはキャビネット前面開口部と本体の隙間を部分的に覆い、前記吸気フィルタの覆わない前記隙間を覆うように飾り枠を配したとすることで、吸気フィルタの面積を小さくすることができ、清掃の際に取り扱いが容易になるため、清掃性も向上できる。
【００２０】
以下、本発明の実施の形態について、図面を参照しながら説明する。なお、この実施の形態によって本発明が限定されるものではない。
【００２１】
（実施の形態１）
図１〜７は、本発明の第１の実施の形態における組み込み式加熱調理器を示すものである。
【００２２】
図１に示すように、本実施の形態における加熱調理器は、鍋やフライパンなどの被加熱物を戴置するトッププレート２を有した本体１と、この本体１内でトッププレート２下部に配置された誘導加熱コイルなどの加熱手段３と、加熱手段３を制御する制御回路４と、本体１の前面に配置された操作部５と、外気を本体１内に吸い込む吸気口６と、吸気口６より吸い込んだ空気を本体１内に送風する冷却手段７と、冷却手段７により送風した空気を本体１内から排出する排気口８とを備えている。
【００２３】
図２に示すように、キッチンキャビネット１１は、本体を上方より落としこむ天板開口部１２と本体１を収納する収納部１３と、キッチンキャビネット１１の前面に開口し収納部１３と連通し本体の前面に配置された操作部５が位置する前面開口部１４とを有する。
【００２４】
そして、加熱調理器の本体１をキッチンキャビネット１１に組み込むには、図３に示すように、キッチンキャビネット１１の収納部１３に本体１の操作部５から誘導して前枠１５の下を操作部５が通って前面開口部１４にセットされる。容易にセットするため、操作部５は前面開口部１４より小さくする必要があり、セット時には前方から見て操作部５の上方と左右にキッチンキャビネットとの間に隙間が開いている。
【００２５】
トッププレート２は天板開口部１２よりも幅・奥行きが大きく覆うように形成され、トッププレート２が天板開口部１２を通過することなく係止され、キッチンキャビネット１１の天面に載置された状態となり、図５に示すように、本体１のセットは完了する。
【００２６】
前面開口部１４との左右の隙間には、仕切板２１を本体に係止することにより、左右の隙間をほぼ塞いでいる（右側のみ図示している）。
【００２７】
吸気フィルタ３１は、断面コの字型とし、機器正面側に複数の小孔３２を配設し、外方へ向かって凸で指でつまめる大きさのつまみ部３３を設けている。小孔３２の１つずつの開口面積は本体の吸気口６より小さくしている。
【００２８】
操作部５の上面にはフィルタ係止部３４を備え、吸気フィルタ１１を嵌挿し、吸気フィルタ３１によって前面開口部１４と操作部５上方の隙間を塞いでいる。
【００２９】
図６、図７に示すように、操作部５上面に凹部Ａ４１を備え、吸気フィルタの下面には操作部５上面の凹部Ａ４１に対応した位置に凹部Ｂ４２を備えており、２つの凹部によって、操作部５上面と吸気フィルタ３１下面との間に指が入る程度の空隙を設けている。
【００３０】
吸気フィルタ３１が係止された後、外側から飾り枠２２を操作部５上面の保持部に取付けて、操作部５上面と吸気フィルタ３１の間に設けた空隙や吸気フィルタ３１に設けたつまみ部３３を覆っている。
【００３１】
以上のように構成された組み込み式加熱調理器について、以下その動作、作用を説明する。
【００３２】
トッププレート２の上に調理物を入れた被加熱物を載置して、操作部５の操作により制
御回路４を駆動し、加熱手段３に通電する。これにより加熱手段３が被加熱物を加熱する。所望の加熱を終了すると操作部５を操作して加熱手段３による被加熱物の加熱を停止するものである。
【００３３】
加熱手段３の駆動中は、制御回路４や加熱手段３は発熱するので、冷却手段７を駆動して送風することとなる。冷却手段７を駆動すると、室内の空気を操作部５上面の吸気口６から吸気する。操作部５側方とキャビネット前面開口部１４との隙間は仕切板２１によって覆われているため、吸気した空気は、キッチンキャビネット前面開口部１４の上側に位置する前枠１５と操作部５との間を通り、吸気フィルタ３１を通過した空気を冷却手段７に送り込む。吸気口６から吸気された空気は冷却手段７により制御回路４や加熱手段３に送風されて制御回路４と加熱手段３を冷却することとなる。
【００３４】
吸気フィルタ３１を通過する際に、吸気フィルタ３１に配した小孔３２より大きな塵埃は吸気フィルタ３１に遮られるため、本体１の吸気口６に大きな塵埃は到達しない。
【００３５】
機器の前方より飾り枠２２を取り外すことで、吸気フィルタ３１の係止部３４が露出する。吸気フィルタ３１を本体１に係止している爪部を外すことで、吸気フィルタ３１を取り外し、水洗いといった清掃を行うことができ、付着した塵埃や汚れを落とすことができる。
【００３６】
また吸気フィルタ３１に備えたつまみ部３３によって、着脱の際にはつまみ部３３を指でつまむことで、容易に吸気フィルタ３１の取り外しを行うことができる。あるいは、本体１の操作部５上面に備えた凹部Ａ４１と吸気フィルタ３１下面に備えた凹部Ｂ４２による空隙に指を入れて吸気フィルタを外方へ押し出すことでも、容易に吸気フィルタ３１の取り外しを行うことができる。
【００３７】
本実施の形態ではつまみ部３３と凹部Ａ４１あるいは凹部Ｂ４２による空隙と両方を備えて図示しているが、どちらか一方のみを備えていても構わない。
【００３８】
上記したように、本実施の形態では、本体操作部５とキャビネット前面開口部１４の隙間を覆うように吸気フィルタ３１を装着することで、本体の吸気口６へ塵埃が付着することを防止できる。また、容易に着脱自在の構成となるため、使用者が容易に清掃を行うことができ、吸気量の低下を防止できる。これによって、本体１の冷却性能の低下による本体内部の部品の劣化を防ぎ、耐久性にすぐれた加熱調理器とすることができる。
【００３９】
また、吸気フィルタ３１の外側に着脱自在の飾り枠２２を取り付けることで、使用時は外観の体裁を保ち、デザイン性に優れた加熱調理器とすることができる。それと同時に、容易に着脱可能とすることで、使用者が容易に吸気フィルタ３１を清掃でき、吸気量の低下を防止できる。これによって、本体１の冷却性能の低下による本体内部の部品の劣化を防ぎ、耐久性にすぐれた加熱調理器とすることができる。
【００４０】
また、本体は操作部５上面の吸気フィルタ３１との接触部に凹部Ａ４１を備えることで、吸気フィルタ３１の取り外しが容易になり、使用者が容易に吸気フィルタ３１を清掃できる。
【００４１】
また吸気フィルタには、本体１との接触部に凹部Ｂ４２を備えることで、吸気フィルタ３１の取り外しが容易になり、使用者が容易に吸気フィルタ３１を清掃できる。
【００４２】
また、吸気フィルタ３１には、外方へ向かって凸のつまみ部３３を備えることで、吸気フィルタ３１の取り外しが容易になり、使用者が容易に吸気フィルタ３１を清掃できる。
【００４３】
また、上記のような吸気フィルタ３１着脱のための係止部や凹凸部を飾り枠２２で覆うことで、外観の体裁を保ち、デザイン性に優れた加熱調理器とすることができる。
【００４４】
また、キャビネット前面開口部と本体の隙間を部分的に覆う仕切板２１を装着することにより、隙間部を通る空気の流れを制限し、吸気フィルタ３１を通過した空気だけを吸気することができるため、吸気フィルタ３１で防塵し、本体１の吸気口６へ塵埃が付着することを防止できる。
【００４５】
（実施の形態２）
図８は、本発明の第２の実施の形態における組み込み式加熱調理器を示すものである。なお、本実施の形態２の基本構成は実施の形態１と同様であるので、同様な部分の説明は省略し、相違点を中心に説明する。また、実施の形態１と同一要素には同じ符号を付してその説明を省略する。
【００４６】
図８において、吸気フィルタ３１はキャビネット前面開口部１４と本体の隙間を部分的に覆っており、吸気フィルタが覆っていない隙間Ａ５２が開いている。
【００４７】
吸気フィルタ３１の外方より取り付ける飾り枠２２はカバー部５１を備えている。
【００４８】
調理器本体に吸気フィルタ３１を取り付けた状態では、吸気フィルタ３１取り付け部および、仕切板２１を取り付けた部分が本体とキャビネット前面開口部１４との隙間が無くなっている。
【００４９】
吸気フィルタ３１の外方より、吸気フィルタ３１や仕切板２１で覆っていない隙間Ａ５２を覆うカバー部５１を備えたとした飾り枠２２を取り付けることで、残った隙間を塞ぐことができる。
【００５０】
上記のように、吸気フィルタ３１は前面開口部１４と本体の隙間を部分的に覆い、残りの隙間Ａ５１を外方から取り付けた飾り枠２２によって覆うことで、前面からの吸気の範囲を制限し、吸気フィルタ３１を通過した空気だけを吸気することができるため、吸気フィルタ３１で防塵し、本体の吸気口６へ塵埃が付着することを防止できる。
【産業上の利用可能性】
【００５１】
以上のように、本発明にかかる組み込み式加熱調理器は、吸気性能を保ちつつ、清掃性が良く、デザインに優れたものを提供することができるので、冷却のための吸気口備えた電気機器（たとえば組み込み式冷蔵庫・食器洗い乾燥機）等の用途にも適用できる。
【図面の簡単な説明】
【００５２】
【図１】本発明の実施の形態１における組み込み式加熱調理器の要部断面図
【図２】同組み込み式加熱調理器を組み込むキッチンキャビネットの斜視図
【図３】同組み込み式加熱調理器の組み込み作業状態を示す断面図
【図４】同組み込み式加熱調理器の組み込み状態を示す斜視図
【図５】同組み込み式加熱調理器の要部断面である図１のＡ部詳細図
【図６】同組み込み式加熱調理器の組み込み状態を示す正面図
【図７】同組み込み式加熱調理器の吸気フィルタ取り付け部の後方から見た斜視図
【図８】本発明の実施の形態２における組み込み式加熱調理器の正面図
【図９】従来の組み込み式加熱調理器の要部断面図
【符号の説明】
【００５３】
１  本体
２  トッププレート
３  加熱手段
４  制御回路
５  操作部
６  吸気口
７  冷却手段
８  排気口
１１  キッチンキャビネット
１２  天板開口部
１３  収納部
１４  前面開口部
１５  前枠
２１  仕切板
２２  飾り枠
３１  吸気フィルタ
３２  小孔
３３  つまみ部
３４  フィルタ係止部
４１  凹部Ａ
４２  凹部Ｂ
５１  カバー部
５２  隙間Ａ
【図１】
2010203690.tif 000003
【図２】
2010203690.tif 000004
【図３】
2010203690.tif 000005
【図４】
2010203690.tif 000006
【図５】
2010203690.tif 000007
【図６】
2010203690.tif 000008
【図７】
2010203690.tif 000009
【図８】
2010203690.tif 000010
【図９】
2010203690.tif 000011